(57)【要約】【課題】  染料濃度を高めずとも、彩度を向上させることが可能なインクジェット記録用水性染料インクを提供する。【解決手段】  着色剤及び水を含むインクジェット記録用水性インクであって、前記着色剤が、染料を含み、さらに、陰イオン性ジルコニウム錯イオンを形成する錯塩及び式（１）で表される界面活性剤を含むことを特徴とするインクジェット記録用水性インク。【化１】2015193717.tif 000008式（１）において、Ｒ１は、炭素原子数１２〜１８のアルキル基又はＲ４−ＣＯ−ＮＨ基（Ｒ４は、炭素原子数１２のアルキル基）であり、Ｒ２及びＲ３は、それぞれ、メチル基又はエチルヒドロキシ基であり、Ｒ２及びＲ３は同一でも異なっていてもよい。【選択図】  なし【特許請求の範囲】
【請求項１】
着色剤及び水を含むインクジェット記録用水性インクであって、
前記着色剤が、染料を含み、
さらに、陰イオン性ジルコニウム錯イオンを形成する錯塩及び式（１）で表される界面活性剤を含むことを特徴とするインクジェット記録用水性インク。
【化１】
2015193717.tif 000007
式（１）において、
Ｒ１は、炭素原子数１２〜１８のアルキル基又はＲ４−ＣＯ−ＮＨ基（Ｒ４は、炭素原子数１２のアルキル基）であり、
Ｒ２及びＲ３は、それぞれ、メチル基又はエチルヒドロキシ基であり、Ｒ２及びＲ３は同一でも異なっていてもよい。
【請求項２】
前記陰イオン性ジルコニウム錯イオンが、［Ｚｒ（ＣＯ３）２（ＯＨ）２］２−であり、
前記錯塩中のカウンターイオンが、アルカリ金属イオン又は第４級アンモニウムイオンであることを特徴とする請求項１記載のインクジェット記録用水性インク。
【請求項３】
前記水性インク全量に対する式（１）で表される界面活性剤の配合量が、３重量％以上であることを特徴とする請求項１又は２記載のインクジェット記録用水性インク。
【請求項４】
前記水性インク全量に対する前記陰イオン性ジルコニウム錯イオンを形成する錯塩の配合量が、０．５重量％以上であり、かつ、
前記水性インク全量に対する式（１）で表される界面活性剤の配合量が、３重量％以上であることを特徴とする請求項１〜３のいずれか一項に記載のインクジェット記録用水性インク。
【請求項５】
インクジェット記録用水性インクを含むインクカートリッジであって、前記水性インクが、請求項１〜４のいずれか一項に記載のインクジェット記録用水性インクであることを特徴とするインクカートリッジ。
【発明の詳細な説明】
【技術分野】
【０００１】
本発明は、インクジェット記録用水性インク及びインクカートリッジに関する。
【背景技術】
【０００２】
インクジェット記録用水性染料インクによる記録物の彩度を向上させる手法として、染料濃度を高くする手法が知られている（例えば、特許文献１参照）。
【先行技術文献】
【特許文献】
【０００３】
【特許文献１】特表２００９−５３３５２６号公報
【発明の概要】
【発明が解決しようとする課題】
【０００４】
しかしながら、染料濃度を高くすることには、コストの増加及び水性染料インクの安定性低下の問題がある。そこで、本発明は、染料濃度を高めずとも、彩度を向上させることが可能なインクジェット記録用水性染料インクを提供することを目的とする。
【課題を解決するための手段】
【０００５】
前記目的を達成するために、本発明のインクジェット記録用水性インクは、
着色剤及び水を含むインクジェット記録用水性インクであって、
前記着色剤が、染料を含み、
さらに、陰イオン性ジルコニウム錯イオンを形成する錯塩及び式（１）で表される界面活性剤を含むことを特徴とする。
【化１】
2015193717.tif 000002
式（１）において、
Ｒ１は、炭素原子数１２〜１８のアルキル基又はＲ４−ＣＯ−ＮＨ基（Ｒ４は、炭素原子数１２のアルキル基）であり、
Ｒ２及びＲ３は、それぞれ、メチル基又はエチルヒドロキシ基であり、Ｒ２及びＲ３は同一でも異なっていてもよい。
【発明の効果】
【０００６】
本発明のインクジェット記録用水性インクによれば、前記錯塩及び式（１）で表される界面活性剤を併用することで、染料濃度を高めずとも、彩度を高めることが可能である。
【図面の簡単な説明】
【０００７】
【図１】図１は、本発明のインクジェット記録装置の構成の一例を示す概略斜視図である。
【発明を実施するための形態】
【０００８】
本発明のインクジェット記録用水性インク（以下、「水性インク」又は「インク」と言うことがある。）について説明する。本発明の水性インクは、着色剤及び水を含む。前述のとおり、前記着色剤は、染料を含む。
【０００９】
前記染料は、特に限定されず、例えば、直接染料、酸性染料、塩基性染料、反応性染料等があげられる。前記染料としては、例えば、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレット及びＣ．Ｉ．フードブラック等があげられる。前記Ｃ．Ｉ．ダイレクトブラックとしては、例えば、Ｃ．Ｉ．ダイレクトブラック１７、１９、３２、５１、７１、１０８、１４６、１５４及び１６８等があげられる。前記Ｃ．Ｉ．ダイレクトブルーとしては、例えば、Ｃ．Ｉ．ダイレクトブルー６、２２、２５、７１、８６、９０、１０６及び１９９等があげられる。前記Ｃ．Ｉ．ダイレクトレッドとしては、例えば、Ｃ．Ｉ．ダイレクトレッド１、４、１７、２８、８３及び２２７等があげられる。前記Ｃ．Ｉ．ダイレクトイエローとしては、例えば、Ｃ．Ｉ．ダイレクトイエロー１２、２４、２６、８６、９８、１３２、１４２及び１７３等があげられる。前記Ｃ．Ｉ．ダイレクトオレンジとしては、例えば、Ｃ．Ｉ．ダイレクトオレンジ３４、３９、４４、４６及び６０等があげられる。前記Ｃ．Ｉ．ダイレクトバイオレットとしては、例えば、Ｃ．Ｉ．ダイレクトバイオレット４７及び４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、５２、６３、１１２及び１１８等があげられる。前記Ｃ．Ｉ．アシッドブルーとしては、例えば、Ｃ．Ｉ．アシッドブルー９、２２、４０、５９、９０、９３、１０２、１０４、１１７、１２０、１６７、２２９及び２３４等があげられる。前記Ｃ．Ｉ．アシッドレッドとしては、例えば、Ｃ．Ｉ．アシッドレッド１、６、３２、３７、５１、５２、８０、８５、８７、９２、９４、１１５、１８０、２５６、２８９、３１５及び３１７等があげられる。前記Ｃ．Ｉ．アシッドイエローとしては、例えば、Ｃ．Ｉ．アシッドイエロー１１、１７、２３、２５、２９、４２、６１及び７１等があげられる。前記Ｃ．Ｉ．アシッドオレンジとしては、例えば、Ｃ．Ｉ．アシッドオレンジ７及び１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーとしては、例えば、Ｃ．Ｉ．ベーシックブルー１、３、５、７、９、２４、２５、２６、２８及び２９等があげられる。前記Ｃ．Ｉ．ベーシックレッドとしては、例えば、Ｃ．Ｉ．ベーシックレッド１、２、９、１２、１３、１４及び３７等があげられる。前記Ｃ．Ｉ．ベーシックバイオレットとしては、Ｃ．Ｉ．ベーシックバイオレット７、１４及び２７等があげられる。前記Ｃ．Ｉ．フードブラックとしては、例えば、Ｃ．Ｉ．フードブラック１及び２等があげられる。また、前記染料としては、後述の実施例に記載のものを用いてもよい。
【００１０】
前記水性インク全量に対する前記染料の配合量は、特に限定されず、例えば、０．１重量％〜１０重量％であり、好ましくは、０．２重量％〜８重量％であり、より好ましくは、０．３重量％〜６重量％である。
【００１１】
前記着色剤は、前記染料に加え、さらに顔料等を含んでもよい。
【００１２】
前記水は、イオン交換水又は純水であることが好ましい。前記水性インク全量に対する前記水の配合量（水割合）は、例えば、１０重量％〜９０重量％であり、好ましくは、４０重量％〜８０重量％である。前記水割合は、例えば、他の成分の残部としてもよい。
【００１３】
前述のとおり、前記水性インクは、さらに、陰イオン性ジルコニウム錯イオン（以下、「Ｚｒ錯イオン」と言うことがある。）を形成する錯塩（以下、「Ｚｒ錯塩」と言うことがある。）及び式（１）で表される界面活性剤を含む。前述のとおり、本発明の水性インクによれば、前記Ｚｒ錯塩及び式（１）で表される界面活性剤を併用することで、染料濃度を高めずとも、彩度を高めることが可能である。この彩度向上のメカニズムは、例えば、つぎのように推定される。まず、前記Ｚｒ錯イオンは、水性インク中では負電荷を帯びているため、主にアニオンである染料と電気的に反発することで、染料の凝集を抑制する一方、水性インクがインクジェット方式で吐出されて記録媒体に着弾すると、金属ジルコニウムによる正電荷を帯び、主にアニオンである染料を電気的に引き寄せて、彩度の向上に寄与すると考えられる。また、式（１）で表される界面活性剤は、記録媒体の表面に留まりやすい性質を有しており、正に帯電している式（１）で表される界面活性剤が、主にアニオンである染料を電気的に引き寄せることで、彩度が向上すると考えられる。ただし、これらのメカニズムは推定に過ぎず、本発明はこれに限定及び制限されない。
【００１４】
前記Ｚｒ錯塩は、水溶液中又は水性インク中において前記Ｚｒ錯イオンを形成する錯塩である。
【００１５】
前記Ｚｒ錯イオンは、陰イオン性配位子を有することが好ましい。前記陰イオン性配位子としては、例えば、ＣＯ３２−（カルボナト）、ＯＨ−（ヒドロキソ）等があげられる。前記Ｚｒ錯イオンは、［Ｚｒ（ＣＯ３）２（ＯＨ）２］２−であることが好ましい。前記Ｚｒ錯塩中のカウンターイオンは、アルカリ金属イオン又は第４級アンモニウムイオン（ＮＨ４＋）であることが好ましい。前記アルカリ金属イオンとしては、例えば、ナトリウムイオン（Ｎａ＋）、リチウムイオン（Ｌｉ＋）、カリウムイオン（Ｋ＋）等があげられる。前記Ｚｒ錯塩としては、例えば、Ｋ２［Ｚｒ（ＣＯ３）２（ＯＨ）２］、（ＮＨ４）２［Ｚｒ（ＣＯ３）２（ＯＨ）２］等があげられる。前記Ｚｒ錯塩は、例えば、市販品を用いてもよい。前記市販品としては、例えば、日本軽金属（株）製の「ジルメル１０００」、「ベイコート２０」等があげられる。
【００１６】
前記水性インク全量に対する前記Ｚｒ錯塩の配合量（Ｚｒ錯塩割合）は、０．５重量％以上であることが好ましい。前記Ｚｒ錯塩割合を０．５重量％以上とすることで、彩度により優れた水性インクを得ることができる。前記Ｚｒ錯塩割合の上限は、特に制限されず、例えば、１０重量％以下であり、好ましくは、８重量％以下であり、より好ましくは、５重量％以下である。
【００１７】
式（１）において、炭素原子数１２のアルキル基としては、ドデシル基があげられる。また、炭素原子数１２〜１８のアルキル基としては、ドデシル基に加えて、トリデシル基、テトラデシル基、ペンタデシル基、ヘキサデシル基、ヘプタデシル基、オクタデシル基があげられる。前記アルキル基は、直鎖であっても、分岐鎖を有してもよい。
【００１８】
式（１）で表される界面活性剤は、例えば、市販品を用いてもよい。前記市販品としては、例えば、花王（株）製の「アンヒトール（登録商標）  ２０Ｎ」（ラウリルジメチルアミンオキシド）；日油（株）製の「ユニセーフ（登録商標）Ａ−ＬＭ」（ラウリルジメチルアミンオキシド）及び「ユニセーフ（登録商標）Ａ−ＬＥ」（ジヒドロキシエチルラウリルアミンオキシド）；川研ファインケミカル（株）製の「ソフタゾリン（登録商標）  ＬＡＯ」（ラウリン酸アミドプロピルジメチルアミンオキシド）；等があげられる。
【００１９】
前記水性インク全量に対する式（１）で表される界面活性剤の配合量（界面活性剤割合）は、３重量％以上であることが好ましい。前記界面活性剤割合を３重量％以上とすることで、彩度により優れた水性インクを得ることができる。前記界面活性剤割合の上限は、特に制限されず、例えば、１５重量％以下であり、好ましくは、１０重量％以下であり、より好ましくは、５重量％以下である。
【００２０】
本発明の水性インクは、さらに、水溶性有機溶剤を含むことが好ましい。前記水溶性有機溶剤としては、例えば、インクジェットヘッドのノズル先端部における水性インクの乾燥を防止する湿潤剤及び記録媒体上での乾燥速度を調整する浸透剤があげられる。
【００２１】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン、トリメチロールエタン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００２２】
前記水性インク全量に対する前記湿潤剤の配合量は、例えば、０重量％〜９５重量％であり、好ましくは、５重量％〜８０重量％であり、より好ましくは、５重量％〜５０重量％である。
【００２３】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等があげられる。前記浸透剤は、１種類を単独で用いてもよいし、２種類以上を併用してもよい。
【００２４】
前記水性インク全量に対する前記浸透剤の配合量は、例えば、０重量％〜２０重量％であり、好ましくは、０重量％〜１５重量％であり、より好ましくは、１重量％〜４重量％である。
【００２５】
前記水性インクは、必要に応じて、さらに、従来公知の添加剤を含んでもよい。前記添加剤としては、例えば、式（１）で表される界面活性剤以外の界面活性剤、ｐＨ調整剤、粘度調整剤、表面張力調整剤、防黴剤等があげられる。前記粘度調整剤は、例えば、ポリビニルアルコール、セルロース、水溶性樹脂等があげられる。
【００２６】
前記水性インクは、例えば、着色剤、水、前記Ｚｒ錯塩及び式（１）で表される界面活性剤と、必要に応じて他の添加成分とを、従来公知の方法で均一に混合し、フィルタ等で不溶解物を除去することにより調製できる。
【００２７】
つぎに、本発明のインクカートリッジは、インクジェット記録用水性インクを含むインクカートリッジであって、前記水性インクが、本発明のインクジェット記録用水性インクであることを特徴とする。前記インクカートリッジの本体としては、例えば、従来公知のものを使用できる。
【００２８】
つぎに、本発明のインクジェット記録装置及びインクジェット記録方法について説明する。
【００２９】
本発明のインクジェット記録装置は、インク収容部及びインク吐出手段を含み、前記インク収容部に収容されたインクを前記インク吐出手段によって吐出するインクジェット記録装置であって、前記インク収容部に、本発明のインクジェット記録用水性インクが収容されていることを特徴とする。
【００３０】
本発明のインクジェット記録方法は、記録媒体に水性インクをインクジェット方式により吐出して記録するインクジェット記録方法であって、前記水性インクとして、本発明のインクジェット記録用水性インクを用いることを特徴とする。
【００３１】
本発明のインクジェット記録方法は、例えば、本発明のインクジェット記録装置を用いて実施可能である。前記記録は、印字、印画、印刷等を含む。
【００３２】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成要素として含む。
【００３３】
４つのインクカートリッジ２は、イエロー、マゼンタ、シアン及びブラックの４色の水性インクを、それぞれ１色ずつ含む。例えば、前記水性イエローインク、前記水性マゼンタインク及び前記水性シアンインクの少なくとも一つが、本発明のインクジェット記録用水性インクである。その他の水性インクは、一般的な水性インクを用いてよい。ヘッドユニット４に設置されたインクジェットヘッド３は、記録媒体（例えば、記録用紙）Ｐに記録を行う。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【００３４】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００３５】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図１において、キャップ１８は、水性インクの乾燥を防止するため、記録が終了するとリセット位置に戻されるインクジェットヘッド３の複数のノズルを覆うものである。
【００３６】
本例のインクジェット記録装置１においては、４つのインクカートリッジ２は、ヘッドユニット４と共に、１つのキャリッジ５に搭載されている。ただし、本発明は、これに限定されない。インクジェット記録装置１において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置１内に配置、固定されていてもよい。これらの態様においては、例えば、４つのインクカートリッジ２の各カートリッジと、キャリッジ５に搭載されたヘッドユニット４とが、チューブ等により連結され、４つのインクカートリッジ２の各カートリッジからヘッドユニット４に前記水性インクが供給される。
【００３７】
このインクジェット記録装置１を用いたインクジェット記録は、例えば、つぎのようにして実施される。まず、記録用紙Ｐが、インクジェット記録装置１の側方又は下方に設けられた給紙カセット（図示せず）から給紙される。記録用紙Ｐは、インクジェットヘッド３と、プラテンローラ７との間に導入される。導入された記録用紙Ｐに、インクジェットヘッド３から吐出される水性インクにより所定の記録がされる。本発明の水性インクは、吐出性に優れる。記録後の記録用紙Ｐは、インクジェット記録装置１から排紙される。本発明の水性インクで記録された記録物は、彩度が高い。図１においては、記録用紙Ｐの給紙機構及び排紙機構の図示を省略している。
【００３８】
図１に示す装置では、シリアル型インクジェットヘッドを採用するが、本発明は、これに限定されない。前記インクジェット記録装置は、ライン型インクジェットヘッドを採用する装置であってもよい。
【実施例】
【００３９】
つぎに、本発明の実施例について比較例と併せて説明する。なお、本発明は、下記の実施例及び比較例により限定及び制限されない。
【００４０】
［実施例１〜２０及び比較例１〜１４］
水性インク組成（表１）の各成分を、均一に混合した。その後、得られた混合物を、東洋濾紙（株）製のポリテトラフルオロエチレン（ＰＴＦＥ）タイプメンブレンフィルタ（孔径０．２０μｍ）を用いてろ過することで、実施例１〜２０及び比較例１〜１４のインクジェット記録用水性インクを得た。なお、表１において、染料（Ｙ−１）、（Ｍ−１）及び（Ｃ−１）のうち代表的なものは、それぞれ、式（Ｙ−１）、（Ｍ−１）及び（Ｃ−１）で表される化合物である。
【化２】
2015193717.tif 000003
【化３】
2015193717.tif 000004
【化４】
2015193717.tif 000005
【００４１】
実施例及び比較例の水性インクについて、彩度評価を、下記方法により実施した。
【００４２】
（彩度評価）
ブラザー工業（株）製のインクジェットプリンタ搭載デジタル複合機ＭＦＣ−Ｊ４５１０Ｎを使用して、実施例及び比較例の水性インクを用いて普通紙上に解像度６００ｄｐｉ×３００ｄｐｉで単色パッチを含む画像を記録し評価サンプルを作製した。前記評価サンプルの彩度（Ｃ＊）を、Ｘ−Ｒｉｔｅ社製の分光測色計ＳｐｅｃｔｒｏＥｙｅ（光源：Ｄ５０、視野：２°、濃度基準：ＡＮＳＩ  Ｔ）により測定し、下記評価基準に従って、彩度を評価した。前記普通紙には、Ｘｅｒｏｘ社製の４２００を用いた。
【００４３】
彩度評価  評価基準
ＡＡ：比較例１〜４のうち、前記Ｚｒ錯塩及び式（１）で表される界面活性剤を配合しなかったこと以外は同条件である比較例の彩度からの向上が、３以上であった
Ａ  ：比較例１〜４のうち、前記Ｚｒ錯塩及び式（１）で表される界面活性剤を配合しなかったこと以外は同条件である比較例の彩度からの向上が、２．３以上３未満であった
Ｂ  ：比較例１〜４のうち、前記Ｚｒ錯塩及び式（１）で表される界面活性剤を配合しなかったこと以外は同条件である比較例の彩度からの向上が、２．３未満であった
【００４４】
実施例及び比較例の水性インクの水性インク組成及び彩度測定結果を、表１に示す。
【００４５】
【表１】
2015193717.tif 000006
【００４６】
表１に示すとおり、実施例１〜２０では、前記Ｚｒ錯塩及び式（１）で表される界面活性剤を用いなかったこと以外は同条件である比較例１〜４と比べて、彩度が大きく向上していた。前記Ｚｒ錯塩の配合量を０．５重量％以上、かつ、式（１）で表される界面活性剤の配合量を３重量％以上とした実施例１〜５及び９〜１８では、前記Ｚｒ錯塩及び式（１）で表される界面活性剤を用いなかったこと以外は同条件である比較例からの彩度の向上度合が特に大きかった。
【００４７】
一方、前記Ｚｒ錯塩を用いなかった比較例５では、さらに、式（１）で表される界面活性剤を用いなかったこと以外は同条件である比較例１と比べて彩度が向上したものの、実施例１〜１５、１９及び２０には及ばなかった。また、式（１）で表される界面活性剤を用いなかった比較例６では、さらに、前記Ｚｒ錯塩を用いなかったこと以外は同条件である比較例１と比べて彩度が向上したものの、実施例１〜１５、１９及び２０には及ばなかった。そして、前記Ｚｒ錯塩に代えて、Ｃａ（ＮＯ３）２又はＺｒＯ（ＮＯ３）２・２Ｈ２Ｏを用いた比較例７〜１０では、光学顕微鏡（２００倍）で水性インクに析出物が観察された。さらに、式（１）で表される界面活性剤に代えて、トリメチルアミンオキシド、ラウリルジメチルアミノ酢酸ベタイン又は２−アルキル−Ｎ−カルボキシメチル−Ｎ−ヒドロキシエチルイミダゾリニウムベタインを用いた比較例１１、１２及び１４では、それらを用いなかったこと以外は同条件である比較例１と比べて彩度が向上したものの、実施例１〜１５、１９及び２０には及ばなかった。さらに、ラウリルジメチルアミノ酢酸ベタインの配合量を増やした比較例１３では、光学顕微鏡（２００倍）で水性インクに析出物が観察された。
【産業上の利用可能性】
【００４８】
以上のように、本発明の水性インクは、染料濃度を高めずとも、彩度を向上可能なものである。本発明の水性インクの用途は、特に限定されず、各種のインクジェット記録に広く適用可能である。
【符号の説明】
【００４９】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
2015193717.tif 000009